(57)【要約】【課題】外部空気の流入量を規制して温度および湿度が程よく調整された温風を供給できるようにする。ヘアードライヤーを温風モードで連続使用した直後であっても、ノズルを握り締めて分離操作することができるようにする。【解決手段】本体ケース１の吹出口１２に、空気流を収束するノズル２を設ける。ノズル２は、入口側から出口側に向かって先すぼまり状に傾斜する左右一対の収束壁４５と、両収束壁４５の上下を滑らかに接続する湾曲壁４６とを備えている。湾曲壁４６は、両収束壁４５の前部上下を滑らかに接続する前湾曲壁４６ａと、両収束壁４５の残部上下を滑らかに接続する後湾曲壁４６ｂとで構成する。前湾曲壁４６ａの上下間隔は、後湾曲壁４６ｂの上下間隔より大きく寸法設定して、両湾曲壁４６ａ・４６ｂの間に段差部分を形成する。この段差部分に空気導入口４７を設ける。【選択図】        図１
2004357763.tif 000002
【特許請求の範囲】
【請求項１】
本体ケース１の吹出口１２に、空気流を収束するノズル２が設けてあるヘアードライヤーであって、
ノズル２は、入口側から出口側に向かって先すぼまり状に傾斜する左右一対の収束壁４５と、両収束壁４５の上下を滑らかに接続する湾曲壁４６とを備えており、
湾曲壁４６の出口寄り周面に空気導入口４７が、ノズル２の内外面を連通する状態で開口しているヘアードライヤー。
【請求項２】
湾曲壁４６が、両収束壁４５の前部上下を滑らかに接続する前湾曲壁４６ａと、両収束壁４５の残部上下を滑らかに接続する後湾曲壁４６ｂとで構成されており、
前湾曲壁４６ａの上下間隔が、後湾曲壁４６ｂの上下間隔より大きく寸法設定されていて、前湾曲壁４６ａと後湾曲壁４６ｂとの間に段差部分が形成されており、
この段差部分に空気導入口４７が開口している請求項１記載のヘアードライヤー。
【請求項３】
後湾曲壁４６ｂの入口側から空気導入口４７に至る壁面に、周囲壁より凹むガイド凹部４８が形成されており、
ガイド凹部４８に冷却促進用の突起５０が突出形成されている請求項２記載のヘアードライヤー。
【請求項４】
前記突起が、ノズル内部の空気の流れとほぼ平行な前後に長いリブ５０である請求項３記載のヘアードライヤー。
【請求項５】
リブ５０が、ガイド凹部４８の内底壁から前湾曲壁４６ａに向かって上り傾斜状に形成されている請求項４記載のヘアードライヤー。
【請求項６】
リブ５０が、空気導入口４７の左右中央において前湾曲壁４６ａの後縁と後湾曲壁４６ｂの前縁とを繋いで、両湾曲壁４６ａ・４６ｂを一体化している請求項４または５記載のヘアードライヤー。
【請求項７】
ノズル２が、入口側の連結筒３５と、連結筒３５に外嵌固定される透明ないし半透明のノズル本体３６とで構成されており、
連結筒３５とノズル本体３６との間に、装飾シートＴ１が介装されている請求項１記載のヘアードライヤー。
【発明の詳細な説明】
【０００１】
【発明の属する技術分野】
本発明は、気流収束用のノズルを備えていて、ノズルの周壁に周辺空気を取り入れるための空気導入口を有するヘアードライヤーに関する。
【０００２】
【従来の技術】
ヘアードライヤーにおいて、本体ケースから吹き出る空気流を利用して、周辺空気を内部へ取り入れるようにしたノズルは公知である（特許文献１参照）。そこでは、本体ケースに装着されるノズル本体と、ノズル本体の前端に固定される出口筒とでノズルを構成している。ノズル本体の前端は、左右一対の絞り壁と、両絞り壁の上下を滑らかに接続する湾曲壁とで、縦長の扁平筒状に形成してあり、左右の絞り壁と、絞り壁に外嵌する出口筒との間に空気導入口が形成されている。ノズルは本体ケースに対して圧嵌装着される。
【０００３】
【特許文献１】
登録実用新案第３０１４２９９号公報（段落番号００１７、図１）
【０００４】
【発明が解決しようとする課題】
特許文献１では、左右の絞り壁に空気導入口が開口しているので、扁平に絞られた熱風の周囲を外部空気で包み込んで温度および湿度が調整された温風を供給できる。しかし、空気流を扁平に絞り込む絞り壁の左右位置、つまり他の部分に比べて流速が速く圧力が最も低い個所に空気導入口を設けるので、外部空気の流入量が多く、ノズルから吹き出る２次吹出風に含まれる外部空気の割合が多過ぎるきらいがある。空気導入口の開口面積が大きいことも、外部空気の割合が多くなる一因になっている。
【０００５】
ヘアードライヤーを温風モードで連続使用するとき、ノズルは加熱されて熱くなるが、ノズル内へ導入される常温の空気で絞り壁を冷却できるので、使用直後であっても絞り壁を手で持って本体ケースから分離することができる。しかし、ノズルを本体ケースから取り外す場合には、つかみやすく、しかも力を入れやすいことから、上下の湾曲壁を握り締めて分離操作することが多く、使用直後にノズルを取り外す場合に熱い思いをすることになる。湾曲壁はノズル内に導入される空気によって殆ど冷却されないうえ、絞り壁に比べて分厚く蓄熱量が大きく冷えにくいからである。
【０００６】
本発明の目的は、外部空気の流入量を規制して温度および湿度が程よく調整された温風を供給でき、ヘアードライヤーを温風モードで連続使用した直後でも、ノズルを握り締めて分離操作することが可能なヘアードライヤーを提供するにある。
【０００７】
【課題を解決するための手段】
本発明のヘアードライヤーでは、本体ケース１の吹出口１２に、空気流を収束するノズル２が設けてある。そのノズル２は、入口側から出口側に向かって先すぼまり状に傾斜する左右一対の収束壁４５と、両収束壁４５の上下を滑らかに接続する湾曲壁４６とを備えており、湾曲壁４６の出口寄り周面に空気導入口４７が、ノズル２の内外面を連通する状態で開口している（請求項１）。
【０００８】
湾曲壁４６は、両収束壁４５の前部上下を滑らかに接続する前湾曲壁４６ａと、両収束壁４５の残部上下を滑らかに接続する後湾曲壁４６ｂとで構成する。前湾曲壁４６ａの上下間隔は、後湾曲壁４６ｂの上下間隔より大きく寸法設定されていて、前湾曲壁４６ａと後湾曲壁４６ｂとの間に段差部分が形成されており、この前記段差部分に空気導入口４７が開口している（請求項２）。
【０００９】
後湾曲壁４６ｂの入口側から空気導入口４７に至る壁面に、周囲壁より凹むガイド凹部４８が形成されており。ガイド凹部４８に冷却促進用の突起５０が突出形成されている（請求項３）。その突起は、ノズル内部の空気の流れとほぼ平行な前後に長いリブ５０にすることができる（請求項４）。
【００１０】
前記リブ５０は、ガイド凹部４８の内底壁から前湾曲壁４６ａに向かって上り傾斜状に形成することができる（請求項５）。そして、リブ５０は、空気導入口４７の左右中央において前湾曲壁４６ａの後縁と後湾曲壁４６ｂの前縁とを繋ぐことにより、両湾曲壁４６ａ・４６ｂを一体化している（請求項６）。
【００１１】
ノズル２は、入口側の連結筒３５と、連結筒３５に外嵌固定される透明ないし半透明のノズル本体３６とで構成し、連結筒３５とノズル本体３６との間に装飾シートＴ１を介装することができる（請求項７）。
【００１２】
【発明の作用効果】
本発明に係るヘアードライヤーでは、出口側へ向かって先すぼまり状に傾斜する左右一対の収束壁４５と、両収束壁４５の上下を滑らかに接続する湾曲壁４６とを備えたノズル２において、湾曲壁４６の出口寄り周面に空気導入口４７が開口しているので、従来のノズルと同様に、吹出口１２から送出される１次吹出風を非円形状に収束しながら、空気導入口４７から流入する空気量を抑止できる。湾曲壁４６の内面における空気の流速は、収束壁４５の内面における空気の流速より緩やかで、その分だけ圧力の低下が小さいからである。従って、本発明によれば、ノズル内部への外部空気の流入量を規制して温度および湿度が程よく調整された温風を供給できる。
【００１３】
図９に示すように、上下の湾曲壁４６を握り締めてノズル２を本体ケース１から取り外す場合には、空気導入口４７の周辺の湾曲壁４６がノズル２内へ流れ込む常温の空気によって冷却されるので、ヘアードライヤーを温風モードで連続使用した直後であっても、ノズル２を確りと握り締めて容易に分離操作することができる（請求項１）。
【００１４】
前湾曲壁４６ａと後湾曲壁４６ｂとで湾曲壁４６を構成し、前湾曲壁４６ａの上下間隔を後湾曲壁４６ｂの上下間隔より大きく寸法設定することにより、前後の湾曲壁４６ａ・４６ｂ間に段差部分を形成し、この段差部分に空気導入口４７を開口したノズル２によれば、後湾曲壁４６ｂを先すぼまり状に形成する必要もなく、空気導入口４７を後湾曲壁４６ｂの前端外面に形成できるので、空気導入口４７に作用する負圧力を緩和でき、その分だけ外部空気の流入を程よく抑止できる。ノズル２の成形が容易化する利点もある。上下の湾曲壁４６を握り締める際に、図９に示すように指先を前湾曲壁４６ａに引っ掛けることができるので、ノズル２の取り外し操作も簡便に行える（請求項２）。
【００１５】
後湾曲壁４６ｂの入口側から空気導入口４７にわたってガイド凹部４８を形成し、ガイド凹部４８に突起５０を形成したノズル２によれば、空気導入口４７へ向かって流れ込む常温の空気流で突起５０を冷却できるので、ガイド凹部４８の冷却を促進して低温に維持できる。従って、上下の湾曲壁４６を握り締めてノズル２を取り外す際に、熱い思いをすることがない（請求項３）。
【００１６】
前記突起５０が、ノズル内部の空気の流れとほぼ平行な前後に長いリブで形成されていると、空気導入口４７へ向かって流れ込む外部空気の流動方向を該リブ５０で規制して、ノズル内部の空気の流れと同じ向きに指向させることができるので、ノズル２で絞られた１次吹出風の流れを乱すことなく外部空気を混合できる。指先をリブ５０にあてがった状態でノズル２を回動操作することにより、出口の向きを本体ケース１の中心軸線の回りに簡便に変更できる利点もある（請求項４）。
【００１７】
ガイド凹部４８の内底壁から前湾曲壁４６ａに向かって上り傾斜状にリブ５０が形成されていると、上下の湾曲壁４６を握り締めてノズル２を取り外す際に、リブ５０に比べて温度が高いガイド凹部４８の内底壁に指先が触れるのを極力避けることができるうえ、リブ５０と前湾曲壁４６ａが指先に食い込むので、ノズル２をより簡単に取り外せる（請求項５）。
【００１８】
空気導入口４７の左右中央において前湾曲壁４６ａの後縁と後湾曲壁４６ｂの前縁とをリブ５０で繋いで、両湾曲壁４６ａ・４６ｂを一体化してあると、空気導入口４７に臨む両湾曲壁４６ａ・４６ｂの構造強度が向上し、落下衝撃などによる破損をよく防止できる（請求項６）。
【００１９】
連結筒３５と、連結筒３５に外嵌固定される透明ないし半透明のノズル本体３６とでノズル２が構成されていると、ノズル２の入口側筒壁における断熱効果が向上して、ノズル２の周面温度をより低い温度状態に維持できる。連結筒３５とノズル本体３６との間に装飾シートＴ１を介装することにより、透明ないし半透明のノズル本体３６を通して装飾シートＴ１を視認できるので、ノズル２をデザイン要素として、ヘアードライヤーの外観上の体裁を向上できる（請求項７）。
【００２０】
【発明の実施の形態】
図１ないし図９は本発明に係るヘアードライヤーの実施例を示す。図２においてヘアードライヤーは、横長筒状の本体ケース１と、その前端に着脱可能に装着されるノズル２と、本体ケース１の下面後ろ側に設けたグリップ３とを有する。
【００２１】
グリップ３の前面には、上下スライド可能なスイッチノブ４が設けてある。スイッチノブ４を切り換え操作することにより、風量およびヒーター温度の制御と、イオン発生装置への通電状態をオン・オフできる。グリップ３の内部には、先のスイッチノブ４で切り換え操作されるスイッチなどを収容してある。図２の想像線で示すように、グリップ３は軸５を中心にして本体ケース１に対して折り畳み可能に連結してある。
【００２２】
本体ケース１は、その殆どを占める円筒状の導風ケース１Ａと、導風ケース１Ａの後端開口に圧嵌装着されるファンケース１Ｂとで構成する。図２および図３において本体ケース１の内部には、軸流形のファン７と、ファン駆動用のモーター８と、ファン７で生起した空気流を過熱するヒーター９と、イオン発生装置などが収容してある。ファン７で生起される空気流は、本体ケース１の後端に設けた吸込グリル１１から導入され、本体ケース１の前端に開口した断面円形の吹出口１２から吹き出る。吹出口１２から吹き出た１次吹出風はノズル２で扁平に収束され、ノズル内に吸引された周辺空気とともに吹き出て２次吹出風を形成する。符号１３は吹出グリルである。
【００２３】
図３においてモーター８は、モーターホルダー１５に支持されており、モーターホルダー１５は導風ケース１Ａに内嵌装着されて、ファンケース１Ｂで固定してある。モーターホルダー１５には、ファン７で捻られた空気流を整流する６個の翼片１６が放射状に設けられている。
【００２４】
ヒーター９は、ヒーターホルダー１８の周囲に巻き付け装着されて、その外面が円筒状の絶縁カバー１９と、金属板製のヒーターカバー２０とで覆ってある。ヒーターホルダー１８は、モーターホルダー１５の前端に隣接してモーター８に外嵌装着される筒体２１と、筒体２１の周面に沿って放射状に係合装着される６個の絶縁板２２とで構成する。筒体２１は断熱性と電気絶縁性に優れたプラスチック材で形成する。絶縁板２１は粉状の雲母を板状に固めたうえで所定形状に打ち抜き形成する。
【００２５】
ヒーターホルダー１８が筒体２１と絶縁板２２とで構成されていると、筒体２１と絶縁カバー１９との間に円筒状の送風通路Ｓを区画して、ヒーター１６の殆どの部分を筒体２１の周面に臨ませることができる。つまり、ファン７から送給される空気流を絶縁カバー１９、筒体２１および絶縁板２１で流動案内して、送風通路Ｓ内を通過する空気流を安定させ、ヒーター１６による空気加熱をむらなく行えるようにしている。送風通路Ｓの前後長さをできるだけ大きくして、気流を安定化するために、筒体２１の前後長さは導風ケース１Ａの前後長さの概ね６割強とし、絶縁板２２の前端を吹出グリル１３の近傍に臨ませてある。
【００２６】
ファン７で生起した空気流と共に、マイナスイオンを毛髪に吹き付けるためのイオン発生装置を有する。そのイオン発生装置は、吹出グリル１３の内面に配置した電極ホルダー２４で支持される電極ユニット２５と、先の筒体２１の内部に配置される樹脂モールド３０とからなる。樹脂モールド２２には、整流回路やパルス発生回路などで構成されるイオン発生回路と、トランスなどが封入されて１個のユニット部品としてある。図１において電極ユニット２５は、プラスチック製のホルダー２６と、ホルダー２６に固定される中央電極２７と、リング状の周囲電極（グランド電極）２８と、両電極２７・２８の間の空間を絶縁遮断する誘電筒２９などで構成されている。
【００２７】
上記のイオン発生装置によれば、空気中の酸素をマイナスに帯電させてマイナスイオン化でき、マイナスイオン化した酸素と結合する水分を髪に浸透させて水分率を高めることができる。つまり、髪を乾燥しながら髪に潤いを与えることができる。
【００２８】
吹出グリル１３や電極ホルダー２４の表面にマイナスイオンが接触してマイナスに帯電すると、帯電したマイナス電荷とマイナスイオンとが反発しあうため、ヘアードライヤーのマイナスイオンの放出量が減少する。
【００２９】
こうしたマイナス電荷の帯電を解消するために、図２に示すように、グリップ３の外面に導電性を有するアース片３１を設け、吹出グリル１３とアース片３１とを導電路を介して導通し、吹出グリル１３や電極ホルダー２４に帯電したマイナス電荷を、アース片３１と人体を介してグランドアースできるようにしている。なお、人体に帯電したマイナス電荷は、床や壁などを介して逃がすことができる。
【００３０】
アース片３１は、上下に長い木の葉形のプラスチック成形品からなり、導電性を付与するためにその表面全体にメッキ層を被覆してある。アース片３１は、グリップ３に対して分離可能に係合装着される装飾カバー３２に固定してある。アース片３１と吹出グリル１３とは、吹出グリル１３に接触するヒーターカバー２０と、ヒーターカバー２０とアース片３１を接続するリード線３３（図３参照）を介して電気的に接続する。このように、ヒーターカバー１８を利用して、吹出グリル１３をアース片３１に接続すると、導風ケース１Ａ内でリード線３３を配線する必要がなく、そのひき回し長さを短くできるので、ヘアードライヤーの組立の手間を省くことができる。
【００３１】
図４ないし図８においてノズル２は、吹出口１２に嵌め込み装着される連結筒３５と、連結筒３５に外嵌固定されるノズル本体３６と、両者３５・３６の嵌合面間に介装される装飾シートＴ１などで構成する。連結筒３５およびノズル本体３６は、それぞれ透明ないし半透明のプラスチック材で形成する。連結筒３５は前後長さが短い断面円形の外筒３７と、前後に長い断面楕円形の内筒３８と、両者３７・３８を繋ぐ４個の放射リブ３９とを一体に備えている。
【００３２】
内筒３８の内面には、装飾シートＴ２と押え筒４１とが分離不能に組み付けてある。外筒３７の後端周面の上下には、吹出口１２に設けた係止段部４２と係合する円弧リブ状の突起４３が形成してある。ノズル２の内部を内外二重に区分して、イオン発生装置で生成したマイナスイオンの回りを空気流で包みこむために内筒３８を設けてある。
【００３３】
ノズル本体３６は、ノズル２の入口側から出口側に向かって先すぼまり状に傾斜する左右一対の収束壁４５と、両収束壁４５の上下を滑らかに接続する湾曲壁４６とを有し、湾曲壁４６の出口寄り周面に周辺空気を取り入れるための空気導入口４７が開口している。
【００３４】
湾曲壁４６は、両収束壁４５の前部上下を滑らかに接続する前湾曲壁４６ａと、両収束壁４５の残部上下を滑らかに接続する後湾曲壁４６ｂとで構成する。前湾曲壁４６ａの上下間隔は、後湾曲壁４６ｂの上下間隔より大きく寸法設定することにより、前後の湾曲壁４６ａ・４６ｂの間に段差部分を形成し、この段差部分に空気導入口４７が開口している。図５に示すように、前湾曲壁４６ａは縦方向に長い楕円形状に形成し、後湾曲壁４６ｂは後端が円形で、前端が縦方向に長い楕円形状に形成されて、その中途部が円形から楕円形へと滑らかに変化するように形成してある。
【００３５】
上記のように、１次吹出風をノズル２で縦長楕円状に収束すると、出口付近における空気流の流速が増し、その分だけ圧力が低下する。従って、空気導入口４７の近傍付近の空気は、空気導入口４７からノズル内へ流入して１次吹出風とともに出口から吹き出る。外部空気の流入を円滑化するために、後湾曲壁４６ｂの入口側から空気導入口４７に至る壁面を周囲壁より凹ませてガイド凹部４８を形成する。
【００３６】
図１においてガイド凹部４８は、空気導入口４７に向かって緩やかに下り傾斜する状態で形成してあり、その左右中央にリブ（突起）５０を形成する。
【００３７】
図４に示すようにリブ５０は、ガイド凹部４８の後端から前湾曲壁４６ａにわたって、ノズル内部の空気の流れと平行になる状態で形成する。側面側から見たリブ５０は、ガイド凹部４８の内底壁から前湾曲壁４６ａに向かって上り傾斜状になる。リブ５０の前部は、前湾曲壁４６ａの後縁と後湾曲壁４６ｂの前縁とを繋いで両湾曲壁４６ａ・４６ｂを一体化し、構造強度を増すのに役立っている。
【００３８】
ノズル２を本体ケース１から取り外す場合には、図９に示すように、上下の湾曲壁４６を親指と人差し指で上下に握り締めて、ノズル２を導風ケース１Ａ離れる向き（矢印Ｐ方向）に引っ張りながら上下いずれかへこじると、係止段部４２と突起４３との係合が外れて、ノズル２を吹出口１２から分離できる。このとき空気導入口４７の周辺の湾曲壁４６がノズル２内へ流れ込む常温の空気によって冷却されるので、ヘアードライヤーを温風モードで連続使用した直後であっても、ノズル２を確りと握り締めて容易に分離操作することができる。
【００３９】
ノズル２を吹出口１２に装着する場合には、連結筒３５の後端側筒壁を吹出口１２にあてがった状態で、ノズル２の全体を矢印Ｐとは逆に、本体ケース１に向かって押し込み操作することにより、突起４３が係止段部４２を乗越えてパチンと係合する。この装着状態において、係止段部４２は周回状に形成してあるので、ノズル２は本体ケース１の中心軸線の回りに自由に回転操作でき、任意の回転位置を位置保持できる。
【００４０】
連結筒３５とノズル本体３６とでノズル２を構成し、両者３５・３６の間に装飾シートＴ１を介装すると、吹出口１２に近い部分のノズル２の構造を３層構造として、断熱効果をさらに高めることができるので、ノズル２を取り外す際に熱い思いをすることがない。
【００４１】
上記の実施例以外に、ノズル本体３６と連結筒３５とは一体に成形することができる。イオン発生装置を備えていないヘアードライヤーの場合には、連結筒３５の内筒３８を省略することができる。ガイド凹部４８に設ける冷却促進用の突起５０は、図１０（ａ）に示すようにノズル内部の空気の流れと直交するリブで形成することができる。さらに、図１０（ｂ）に示すように複数個の突起群で突起５０を形成し、前湾曲壁４６ａとガイド凹部４８を前後に短いリブ５０ａで一体化することができる。
【図面の簡単な説明】
【図１】ノズルとその周辺部構造を示す縦断側面図である。
【図２】ヘアードライヤーの側面図である。
【図３】本体ケースの縦断側面図である。
【図４】ノズルの分解斜視図である。
【図５】ノズルの正面図である。
【図６】ノズルの一部破断側面図である。
【図７】図６におけるＡ−Ａ線断面図である。
【図８】図６におけるＢ−Ｂ線断面図である。
【図９】ノズルの分離要領を示す側面図である。
【図１０】突起の変形例を示すノズルの平面図である。
【符号の説明】
１  本体ケース
２  ノズル
１２  吹出口
３５  連結筒
３６  ノズル本体
４５  収束壁
４６  湾曲壁
４６ａ  前湾曲壁
４６ｂ  後湾曲壁
４７  空気導入口
４８  ガイド凹部
５０  リブ
Ｔ１  装飾シート
【図１】
2004357763.tif 000003
【図２】
2004357763.tif 000004
【図３】
2004357763.tif 000005
【図４】
2004357763.tif 000006
【図５】
2004357763.tif 000007
【図６】
2004357763.tif 000008
【図７】
2004357763.tif 000009
【図８】
2004357763.tif 000010
【図９】
2004357763.tif 000011
【図１０】
2004357763.tif 000012